(57)【要約】【課題】デザイン性が向上できるとともに、装飾部材をカバーに接着した後のカバーの強度低下を改善できる照明器具を提供することにある。【解決手段】ランプが装着された器具本体と、透光性を有した樹脂で形成されるとともに前記ランプを覆って器具本体に取付けられるカバーと、このカバーに取り付けられる装飾部材と、を備えた照明器具において、前記カバーの外側表面に模様を印刷した印刷層を形成し、この印刷層の一部を覆うように前記装飾部材を前記印刷層に接着したことを特徴とする照明器具。【選択図】        図１
2004178929.tif 000002
【特許請求の範囲】
【請求項１】
ランプが装着された器具本体と、透光性を有した樹脂で形成されるとともに前記ランプを覆って器具本体に取付けられるカバーと、このカバーに取り付けられる装飾部材と、を備えた照明器具において、前記カバーの外側表面に模様を印刷した印刷層を形成し、この印刷層の一部を覆うように前記装飾部材を前記印刷層に接着したことを特徴とする照明器具。
【請求項２】
前記装飾部材は、前記印刷層が設けられた部分と設けられていない部分との境界に沿って前記印刷層の上に接着されたことを特徴とする請求項１記載の照明器具。
【請求項３】
前記カバーは、裏側に開口部を有した略箱形をなし、前記器具本体に着脱自在に取付けられるものであることを特徴とする請求項１又は２記載の照明器具。
【請求項４】
前記カバーは、全周に渡る段部を有するものであって、この段部の外側表面に前記印刷層の一部を形成し、前記段部の外側表面に形成された印刷層の上に環状に設けられた前記装飾部材を接着したことを特徴とする請求項３記載の照明器具。
【請求項５】
前記カバーを略逆ドーム状のものとし、カバーの開口部を上にして前記器具本体に着脱自在に取付けたことを特徴とする請求項４記載の照明器具。
【請求項６】
前記印刷層は、前記段部の外側表面も含めた上側であって少なくとも下方から目視できる部分全てに形成されたことを特徴とする請求項５記載の照明器具。
【請求項７】
前記カバーは、非晶性熱可塑性樹脂で形成されたことを特徴とする請求項１乃至６記載の照明器具。
【発明の詳細な説明】
【０００１】
【発明の属する技術分野】
本発明は、装飾部材を有する照明器具に関する。
【０００２】
【従来の技術】
この種の照明器具としては、特開平３−１７９６０６号公報に開示されたものがある。図４はこれに開示された照明器具の一部を切り欠いた正面図、図５は、飾りバンドの断面を示した斜視図である。このものは、ランプを覆い下面を開放したセード１０と、装飾に用いられる装飾部材３と、を備えて構成されている。
【０００３】
セード１０は、透光性の材料により逆碗状に形成されており、碗状をなした開口端には、水平方向に突出した突出凸部１０ａが設けられている。装飾部材３は、その表面が着色された環状をなしたものであり、特に、装飾部材３の内周面には、金属を蒸着したプラスッチックフイルムからなる光輝材が、密着して設けられている。
【０００４】
このように構成された照明器具は、装飾部材３をセード１０の外周に沿って挿嵌することにより、装飾部材３の取り付けが完了するものであった。
【０００５】
【特許文献１】
特開平３−１７９６０６
【０００６】
【発明が解決しようとする課題】
ところで、装飾部材３は、照明器具のデザイン性の向上のために色々な形状の照明器具に用いられるようになっている。そして、デザイン的には、装飾部材３を、図４で説明した照明器具の突出凸部１０ａのような、いわゆる挿入や嵌合などの係止方法を用いることなく取り付けた方がよい場合がある。
【０００７】
図６は、挿入や嵌合などの係止方法を用いることなく装飾部材３を照明器具のカバーに取り付けたものである。このものは、ランプが装着された器具本体１と、透光性を有した樹脂で形成されたカバー２と、カバー２の周囲に取り付けられる環状の装飾部材３と、を備えて構成されている。そして、このものは接着剤を用いて装飾部材３をカバー２に接着することにより、装飾部材３の取り付けが行なわれている。
【０００８】
このものは、装飾部材３をカバー２に接着して取り付けることにより、挿入や嵌合などの係止部をなくし、デザイン性の向上を図ったものである。
【０００９】
なお、このように装飾部材３を接着剤で取り付ける場合、接着剤には、作業性及び接着性を考慮して、速乾性と流動性に優れたものが用いられることが多い。しかし、速乾性と流動性に優れた接着剤は、樹脂で形成されたカバー２の表面部を若干溶解させて接着する性質を備えるので、この接着剤を樹脂で形成されたカバー２に使用する場合は、接着剤による溶解を予め想定しておく必要があった。特に、カバー２の応力がかかる部分や、その肉厚の薄い部分に、接着剤を使用する場合は、カバー２を予め厚くしたり接着剤の塗布量の管理精度を上げるなどのことを行ない、たとえ接着剤により樹脂で形成されたカバー２の表面部が溶解して、その強度が低下しても、この低下した状態で所望の強度が確保できるようにしておく必要があった。
【００１０】
本発明は、上記事由に鑑みてなしたもので、その目的とするところは、デザイン性が向上できるとともに、装飾部材をカバーに接着した後のカバーの強度低下を改善できる照明器具を提供することにある。
【００１１】
【課題を解決するための手段】
請求項１に係る発明の照明器具は、ランプが装着された器具本体と、透光性を有した樹脂で形成されるとともに前記ランプを覆って器具本体に取付けられるカバーと、このカバーに取り付けられる装飾部材と、を備えた照明器具において、前記カバーの外側表面に模様を印刷した印刷層を形成し、この印刷層の一部を覆うように前記装飾部材を前記印刷層に接着したことを特徴とする。
【００１２】
請求項２に係る発明の照明器具は、請求項１において、前記装飾部材は、前記印刷層が設けられた部分と設けられていない部分との境界に沿って前記印刷層の上に接着されたことを特徴とする。
【００１３】
請求項３に係る発明の照明器具は、請求項１又は２において、前記カバーは、裏側に開口部を有した略箱形をなし、前記器具本体に着脱自在に取付けられるものであることを特徴とする。
【００１４】
請求項４に係る発明の照明器具は、請求項３において、前記カバーは、全周に渡る段部を有するものであって、この段部の外側表面に前記印刷層の一部を形成し、前記段部の外側表面に形成された印刷層の上に環状に設けられた前記装飾部材を接着したことを特徴とする。
【００１５】
請求項５に係る発明の照明器具は、請求項４において、前記カバーを略逆ドーム状のものとし、カバーの開口部を上にして前記器具本体に着脱自在に取付けたことを特徴とする。
【００１６】
請求項６に係る発明の照明器具は、請求項５において、前記印刷層は、前記段部の外側表面も含めた上側であって少なくとも下方から目視できる部分全てに形成されたことを特徴とする。
【００１７】
請求項７に係る発明の照明器具は、請求項１乃至６のいずれかにおいて、前記カバーは、非晶性熱可塑性樹脂で形成されたことを特徴とする。
【００１８】
【発明の実施の形態】
本発明の実施の形態を図１〜図３を用いて説明する。図１は、照明器具の要部断面図、図２は器具本体の段面図、図３は照明器具の外観図である。なお、ここで図１の要部とは、図２、図３における符号Ｘで示した箇所を拡大したものである。
【００１９】
この型照明器具は、ランプ７が装着された器具本体１と、透光性を有した樹脂で形成されるとともにランプ７を覆って器具本体に取付けられるカバー２と、このカバーに取り付けられる装飾部材３と、を備えて構成されている。
【００２０】
器具本体１は、平板を打抜いて、絞り、折曲などの加工を施して略円板状に形成されたものである。そして、器具本体１の下側面には、ランプ７が装着されているとともにランプ７を点灯させるための安定器や点灯管が取付けられており、各々に配線が施されている。また、器具本体１の下側であって、その周辺には、カバー２を挟持するための係合挟持部が略等間隔に複数設けられている。
【００２１】
カバー２は、透光性を有した合成樹脂材、具体的には、アクリル樹脂、ポリスチレン樹脂などの非晶性熱可塑性樹脂やアクリル樹脂をベースにした不織布で形成され、その形状は略逆ドーム状をなしている。そしてカバー２の上側開口部周縁には、器具本体１に設けられた係合挟持部に挿入される突出部が設けられており、カバー２の突出部を係合挟持部に係合させ、この状態でカバー２を回転させることによりカバー２が器具本体１に着脱自在に取り付けられる。また、カバー２の中程外側には、全周に渡る段部２ａが設けられており、この段部２ａの垂直面に装飾部材３が取り付けられる。なお、ここでカバー２は、裏側に開口部を有した略箱形であればよく、具体的には、裏側に開口を有した略四角形の箱型のものや、有底筒状のもの、盆状のもの、などが考えられるが、ここでは、装飾部材３が取り付けにくい略逆ドーム状のもので説明している。また、カバー２の成形方法は、真空成形、圧空成形、射出成形、プレス成形などの方法で所望の形状にすればよい。
【００２２】
装飾部材３は、照明器具のデザイン性の向上のために用いるもので金色や銀色、有色半透明、木目調などに仕上げられた軟質樹脂製の環状をなしたバンドである。
【００２３】
ここで重要なことは、カバー２の外側表面に模様を印刷した印刷層５を形成し、この印刷層５の一部を覆うように装飾部材３を印刷層５に接着したことである。そして装飾部材３は、印刷層５が設けられた部分と設けられていない部分との境界に沿って印刷層５の上に接着されていることである。
【００２４】
これを詳しくのべると、印刷層５は、カバー２の段部の外側表面２ａａに印刷層５の一部を形成し、ここから印刷層５は、外側表面２ａａも含めた上側であって少なくとも下方から目視できる部分全てに形成している。そして、環状に設けられた装飾部材２は、外側表面２ａａに形成された印刷層５の上であって、印刷層５が設けられた部分と設けられていない部分との境界に沿って接着している。ここで印刷層５は、有機染料、有機顔料、無機顔料などを含むインクやトナー系のもので、カバー２の表面に絵柄などが連続して印刷してあるものであり、ここでは大理石の絵柄が印刷されている。またその印刷方法は、シルクスクリーン法、インクジェット法、電写真方式による転写紙を介したトナーの転写などの方法がとられている。
【００２５】
このものの装飾部材２の取り付けは、まず開口部を下にしてカバー２を置く。そして装飾部材２をカバー２の段部２ａの外側表面２ａａに形成された印刷層５に沿ってカバー２の上から嵌め込む。さらに、この状態で装飾部材２と印刷層５の隙間に接着剤を流し込む。これにより装飾部材３がカバー２に接着されることにとなる。このとき接着剤としては、流動性と速乾性に優れたジクロロエタンなどの溶剤系の接着剤を使用することが効果的である。溶剤系の接着剤を使用すると、流動性に優れるので接着剤が装飾部材２と印刷層５の隙間に比較的容易に流れ込み、また、速乾性に優れるので接着剤が装飾部材３を比較的速やかにカバー２に接着することになり、装飾部材３のカバー２への取付けがよりスムーズに行える。また、装飾部材２の接着のさいにカバー２の開口部を下にした状態で接着しているので、接着剤を多少必要以上に流し込んでしまっても段部２ａの外側表面２ａａの下側の折り曲げ部（開口部を上にしてカバー２を照明器具に取り付けた状態では、外側表面２ａａの上側の折り曲げ部）に接着剤が溜まるものとなる。この外側表面２ａａの下側の折り曲げ部は、開口部を上にしてカバー２を照明器具に取り付けた状態では、装飾部材３のすぐ上の部分になるので、接着剤が溜まっていても下方から目視でききない部分となる。
【００２６】
次に、装飾部材３を接着した後のカバー２の強度については、カバー２の上に形成された印刷層５の上にカバー２を接着しているのであるから、接着剤によりカバー２が若干溶解することがないので、接着によるカバー２の強度低下は起こりにくいものとなる。
【００２７】
なお、装飾部材２や印刷層５のデザインは、照明器具の用途に応じたものとすればよく、多様なデザインの選択が可能である。
【００２８】
この実施の形態によると、カバー２の外側表面２ａに模様を印刷した印刷層５を形成し、この印刷層５の一部を覆うように装飾部材３を印刷層５に接着したことにより、印刷層５の中に装飾部材３を取り付けることができるので印刷層５と装飾部材３のコントラストが明確になりデザイン性が向上できるものとなる。さらにカバー２は印刷層５により接着剤に触れることがなくなるのであるから、接着剤がカバー２の表面を若干溶解することもないので、接着によるカバー２の強度低下は起こりにくく、装飾部材３をカバー２に接着した後のカバーの強度低下を改善できるものとなる。このためカバー２の接着後の強度低下をさほど考慮する必要がなくなるのでカバー２を予め厚くしたり接着剤の塗布量の管理精度を上げるなどのことが不要となり、設計又は製造においてより好ましいものとすることができる。
【００２９】
また、装飾部材３を印刷層５が設けられた部分と設けられていない部分との境界に沿って印刷層５の上に接着したことにより、印刷層５の縁に装飾部材３を取り付けることができるので、カバー２、装飾部材３、印刷層５が連続して並ぶことになるので、より各部材の境界が明確なものとなるので、さらにデザイン性に優れたものとすることができる。
【００３０】
また、カバー２に裏側に開口部を有した略箱形をなし、器具本体１に着脱自在に取付けられるものを使用することにより、カバー２は、器具本体１への着脱の際により強い応力が加えられることになるので、装飾部材３をカバー２に接着した後のカバーの強度低下を改善したことがより有効なものとなる。
【００３１】
また、カバー２は、全周に渡る段部２ａを有するものであって、この段部２ａの外側表面２ａａに印刷層５の一部を形成し、外側表面２ａａに形成された印刷層５の上に環状に設けられた装飾部材３を接着したことにより、段部２ａに装飾部材３を嵌め込んで接着できるので、作業効率の向上が図れるものとなる。
【００３２】
また、カバーを略逆ドーム状のものとし、カバーの開口部を上にして前記器具本体に着脱自在に取付けたことにより、デザイン性の向上が図れるものとなる。
【００３３】
また、印刷層５は、段部２ａの外側表面２ａａも含めた上側であって少なくとも下方から目視できる部分全てに形成されたことにより、大理石や木目調のような、カバー２が違う材質のものでできているような印象を与えるデザインとすることができるので、さらにデザイン性の向上が図れるものとなる。
【００３４】
また、カバーは、非晶性熱可塑性樹脂で形成されたことにより、従来から汎用的に使われるものを使用することができる。なお、非晶性熱可塑性樹脂で形成されたカバー２は、ジクロロエタンなどの溶剤系の接着剤で接着すると、とくにカバー２の表面部を溶解して接着するものであるので、この組み合わせが装飾部材３をカバー２に接着した後のカバー２の強度低下を最も改善できるものとなる。また、溶剤系の接着剤で接着すると流動性と速乾性とに優れるので、装飾部材３をカバー２に接着するさいにおいて作業効率が向上できるものとなる。
【００３５】
なお、この実施の形態において、装飾部材３は、環状のもので説明したが、環状のもの以外にも合成樹脂を射出成形して所定の形状にした、例えば、星状のものや棒状のものでもよく、この場合、装飾部材３をカバー２の外側表面に形成された印刷層５に、例えば、複数カ所で接着することにより取り付ければよい。
【００３６】
また、装飾部材３を印刷層５が設けられた部分と設けられていない部分との境界に沿って印刷層５の上に接着するときは、接着剤が多少カバー２の上に付着することがあるが、この場合、付着する接着剤は、カバー２に装飾部材３を直接接着する場合に比べて大幅に少なくなるので、この場合においても装飾部材をカバーに接着した後のカバーの強度低下を改善できるものとなる。
【００３７】
なお、実施の形態で説明したもののようにカバー２と装飾部材３との間に何かを設けるものとしては、カバー２の表面にコーティングを行なって装飾部材３を接着したものや、カバー２の表面にフイルムを被覆して装飾部材３を接着したものが考えられる。しかし、実施の形態で説明したものは、コーティングを行なったものに比べ、作業性やデザイン性の改善が図れるものとなり、また、フイルムを被覆たものと比べると、気泡の発生やしわの発生が少ないものとなる。
【００３８】
【発明の効果】
請求項１記載の発明にあっては、ランプが装着された器具本体と、透光性を有した樹脂で形成されるとともに前記ランプを覆って器具本体に取付けられるカバーと、このカバーに取り付けられる装飾部材と、を備えた照明器具において、前記カバーの外側表面に模様を印刷した印刷層を形成し、この印刷層の一部を覆うように前記装飾部材を前記印刷層に接着したことにより、印刷層の中に装飾部材を取り付けることができるのでデザイン性が向上できるものとなる。さらにカバーは印刷層により接着剤に触れることがなくなるのであるから、接着剤がカバーの表面を若干溶解することもないので、接着によるカバーの強度低下は起こりにくく、装飾部材をカバーに接着した後のカバーの強度低下を改善できるものとなる。
【００３９】
請求項２記載の発明にあっては、前記装飾部材は、前記印刷層が設けられた部分と設けられていない部分との境界に沿って前記印刷層の上に接着されたことにより、請求項１に記載した効果を奏するうえに、印刷層の縁に装飾部材を取り付けることができるので、カバー、装飾部材、印刷層が連続して並ぶことになるので、よりデザイン性に優れたものとすることができる。
【００４０】
請求項３記載の発明にあっては、前記カバーは、裏側に開口部を有した略箱形をなし、前記器具本体に着脱自在に取付けられるものであることにより、請求項１又は２に記載した効果を奏するうえに、カバーは、器具本体への着脱の際により強い応力が加えられることになるのでカバーの強度低下を改善したことがより有効に活用できるものとなる。
【００４１】
請求項４記載の発明にあっては、前記カバーは、全周に渡る段部を有するものであって、この段部の外側表面に前記印刷層の一部を形成し、前記段部の外側表面に形成された印刷層の上に環状に設けられた前記装飾部材を接着したことにより、請求項３に記載した効果を奏するうえに、段部に装飾部材を嵌め込んで接着できるので、作業効率の向上が図れるものとなる。
【００４２】
請求項５記載の発明にあっては、前記カバーを略逆ドーム状のものとし、カバーの開口部を上にして前記器具本体に着脱自在に取付けたことにより、請求項４に記載した効果を奏するうえに、さらにデザイン性の向上が図れるものとなる。
【００４３】
請求項６記載の発明にあっては、前記印刷層は、前記段部の外側表面も含めた上側であって少なくとも下方から目視できる部分全てに形成されたことにより、請求項５に記載した効果を奏するうえに、さらにデザイン性の向上が図れるものとなる。
【００４４】
請求項７記載の発明にあっては、前記カバーは、非晶性熱可塑性樹脂で形成されたことにより、請求項１乃至６のいずれかに記載した効果を奏するうえに、従来から汎用的に使われるカバーを使用することができるうえに、強度低下の改善がより高いものとなる。
【図面の簡単な説明】
【図１】本発明の実施の形態に係る照明器具の要部断面図である。
【図２】同上の照明器具の断面図である。
【図３】同上の照明器具の外観図である。
【図４】第１の従来例に係る照明器具の一部を切り欠いた正面図である。
【図５】同上の照明器具の飾りバンドの断面を示した斜視図である。
【図６】第２の従来例に係る照明器具の外観図である。
【符号の説明】
１      器具本体
２      カバー
２ａ    段部
２ａａ  外側表面
３      装飾部材
５      印刷層
６      接着層（接着剤）
【図１】
2004178929.tif 000003
【図２】
2004178929.tif 000004
【図３】
2004178929.tif 000005
【図４】
2004178929.tif 000006
【図５】
2004178929.tif 000007
【図６】
2004178929.tif 000008